【事件の表示】
　特願２０１７−２０４１００号「遊技機」拒絶査定不服審判事件〔令和　１年　５月２３日出願公開、特開２０１９−　７６２６０号〕について、次のとおり審決する。
【結　論】
　本件審判の請求は、成り立たない。
【理　由】
第１　手続の経緯
　本願は、平成２９年１０月２１日の出願であって、令和１年７月２５日付けの拒絶理由通知に対して、同年１０月４日に意見書が提出されるとともに手続補正がなされたところ、令和２年３月３日付けで拒絶査定（以下、「原査定」という。）がなされ、これに対して、同年６月５日に拒絶査定不服審判の請求がされると同時に手続補正がなされたものである。
第２　令和２年６月５日付けの手続補正についての補正の却下の決定
［補正の却下の決定の結論］
　令和２年６月５日付けの手続補正（以下、「本件補正」という。）を却下する。
［理由］
１　補正の内容
　本件補正は、特許請求の範囲を補正するものであって、特許請求の範囲の請求項１について、本件補正前の令和１年１０月４日付けの手続補正において、
「【請求項１】
　大当たり抽選を含む各抽選を実行し、抽選結果に基づいて遊技の進行を制御すると共に、遊技の進行に関わる遊技コマンド、及び遊技の進行と無関係な特殊コマンドを含む複数種類のコマンドを生成し得る主制御手段と、
　画像を表示すると共に音を出力する演出手段と、
　前記主制御手段、または、前記複数種類のコマンドを生成し得る外部制御手段におけるコマンドを受信し、受信したコマンドに基づいて前記演出手段の制御内容を決定し、この決定に従って前記演出手段を制御する演出制御手段と、
　前記主制御手段の設定に関わる操作を行う操作手段と
　を備える遊技機であって、
　前記主制御手段及び前記演出制御手段の各々は、電源投入を契機とした独立した動作が可能であり、
　前記主制御手段は、前記操作手段を所定の状態にして電源投入された場合、前記抽選に関わる設定に関する設定モードに移行し、
　前記演出制御手段は、前記主制御手段が前記設定モードになっている間、所定の画像を前記演出手段に表示させる手段を備え、
　前記演出制御手段は、前記所定の画像の表示中に受信したコマンドが前記特殊コマンドである場合、前記所定の画像の少なくとも一部に前記特殊コマンドに対応する画像を重ねて表示させることを特徴とする遊技機。」
とあったものを、
「【請求項１】
Ａ　大当たり抽選を含む各抽選を実行し、抽選結果に基づいて遊技の進行を制御すると共に、遊技の進行に関わる遊技コマンド、及び遊技の進行と無関係な特殊コマンドを含む複数種類のコマンドを生成し得る主制御手段と、
Ｂ　画像を表示すると共に音を出力する演出手段と、
Ｃ　前記主制御手段、または、前記複数種類のコマンドを生成し得る外部制御手段におけるコマンドを受信し、受信したコマンドに基づいて前記演出手段の制御内容を決定し、この決定に従って前記演出手段を制御する演出制御手段と、
Ｄ　前記主制御手段の設定に関わる操作を行う操作手段と
Ｅ　を備える遊技機であって、
Ｆ　前記主制御手段及び前記演出制御手段の各々は、電源投入を契機とした独立した動作が可能であり、
Ｇ　前記主制御手段は、前記操作手段を所定の状態にして電源投入された場合、前記抽選に関わる設定に関する設定モードに移行し、
設定変更コマンドを送信し、
Ｈ　
前記設定モードにおいて、前記大当たり抽選の当選確率の設定を変更できるようになっているが、特別図柄の変動時に参照する変動パターン決定テーブルは共通とし、
Ｉ　前記演出制御手段は、
前記設定変更コマンドの受信に応じて、所定の画像の表示を開始させ
Ｊ　前記演出制御手段は、前記所定の画像の表示中に受信したコマンドが前記特殊コマンドである場合、前記所定の画像の少なくとも一部に前記特殊コマンドに対応する画像を重ねて表示させることを特徴とする遊技機。」
と補正するものである（下線部は補正箇所を示す。記号Ａ〜Ｊは、分説するため当審で付した。）。
２　補正の適否
（１）補正の目的
　本件補正のうち特許請求の範囲の請求項１についてする補正は、補正前の請求項１に係る発明を特定するために必要な事項である「前記操作手段を所定の状態にして電源投入された場合」の「前記主制御手段」の処理について、「設定変更コマンドを送信し」との限定を付加するとともに、補正前の請求項１に係る発明を特定するために必要な事項である「設定モード」について、「前記設定モードにおいて、前記大当たり抽選の当選確率の設定を変更できるようになっているが、特別図柄の変動時に参照する変動パターン決定テーブルは共通とし」との限定を付加し、加えて補正前の請求項１に係る発明を特定するために必要な事項である「所定の画像を前記演出手段に表示させる手段」について、「前記設定変更コマンドの受信に応じて、所定の画像の表示を開始させ」との限定を付加するものである。
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
（２）新規事項
　本件補正は、本願の願書に最初に添付した明細書、特許請求の範囲又は図面における【０１８１】、【０２５７】、【０３４２】〜【０３４３】等の記載に基づくものであり、新たな技術事項を導入するものではないから、特許法第１７条の２第３項に規定する要件を満たす。
３　独立特許要件
　そこで、本件補正後の請求項１に係る発明（以下、「本願補正発明」という。）が特許出願の際に独立して特許を受けることができるものであるか、すなわち、特許法第１７条の２第６項において準用する同法第１２６条第７項の規定に適合するかについて、以下に検討する。
（１）引用文献１に記載された事項
　原査定の拒絶の理由に引用された、本願の出願前に公開された特開２０１５−１９５８６３号公報（以下、「引用文献１」という。）には、以下の事項が記載されている（下線は当審で付した。以下、同様。）。
ア　「【００１２】
＜第１実施形態＞ 
　以下、本発明を図面に示した実施の形態により詳細に説明する。
＜遊技機の構造＞
　図１〜図３を用いて、第１実施形態における遊技機１の構造について具体的に説明する。図１は、遊技機１の正面図の一例を示す図である。遊技者は、遊技媒体（例えばメダルや遊技球）を用いて遊技機１で遊技する。本実施形態においては、遊技媒体としてメダルが使用される遊技機１（パチスロ機）を例示する。」
イ　「【００５５】
　図２に示すように、キャビネット２の内部には、設定表示部３６および設定変更ボタン３７とが形成される。設定表示部３６は、遊技機１に設定される設定値を表示する。設定値とは、遊技機１の出玉率に関する数値であり、
各遊技において設定値に応じた確率で各種の抽選が実行される。
設定変更用の鍵穴
に設定変更キー
を挿入して回転した
【００５６】
　
設定変更ボタン３７は、設定表示部３６の数値を変更させる場合に操作される
ウ　「【００６２】
＜メイン制御基板＞
　
メイン制御基板は
メインＣＰＵ３０１と
Ｉ／Ｆ（インターフェース）回路３０５とを含んで構成される
・・・・・
【００６４】
　
メインＣＰＵ３０１は、
遊技の進行に合わせて所定の処理を行うことにより、
・・・・・
【００６８】
　Ｉ／Ｆ回路３０５は、メイン表示器ＭＬ、ホッパー５２０および各リール１２を駆動させる各種の信号をメイン制御基板３００の外部に出力する。また、
Ｉ／Ｆ回路３０５は、サブ制御基板４００に各種のコマンドを出力する
エ　「【００８６】
＜サブ制御基板＞ 
　
サブ制御基板４００は、液晶表示装置３０、スピーカ（３１、３２）および各ランプ
を制御する
サブ制御基板４００は、演出制御基板４１０と画像制御基板４２０とサウンド基板４３０とを含む複数の基板で構成される
【００８７】
　
演出制御基板４１０は
Ｉ／Ｆ回路４１１とサブＣＰＵ４１２と
を含んで構成される
・・・・・
【００８９】
　サブＲＡＭ４１４は、各種のデータを揮発的（一時的に）に格納するワーク領域として機能する。
Ｉ／Ｆ回路４１１は、メイン制御基板３００（Ｉ／Ｆ回路３０５）からのコマンドを受信する
オ　「【０１７６】
＜メインＣＰＵが実行する各処理＞
　メインＣＰＵ３０１は、上述した各種のデータを参照して各種の処理を実行する。図３１は、メインＣＰＵ３０１の
起動処理
メインＣＰＵ３０１は
起動処理を実行する
メイン制御基板３００への電源電圧の供給が開始された場合に、起動処理が実行される
・・・・・
【０１７８】
　メインＣＰＵ３０１は、設定スイッチがＯＮ状態であるか否かを判定する（Ｓ２）。
設定スイッチは、遊技機
の内部に設けられた鍵穴に設定キー
を挿入し回転した場合にＯＮ状態になる
メインＣＰＵ３０１は、設定スイッチがＯＮ状態であると判断した場合
、メインＲＡＭ３０３のコマンド格納領域に設定変更開始コマンドを設定し
、
設定変更処理に移行する
カ　「【０１８５】
　図３２は、
設定変更処理
設定変更処理を開始すると、メインＣＰＵ３０１は、前面扉３が開放されているか否かを判定する
前面扉３が開放されていないと判断した場合
、メインＣＰＵ３０１は、
設定スイッチエラー処理に移行する
設定スイッチエラー処理において、メインＣＰＵ３０１は、設定スイッチの異常を報知させるエラーコマンドをサブ制御基板４００に送信し、
液晶表示装置３０が警告画面を表示する構成とし
・・・・・
【０１８８】
　ステップＳ１６において、メインＣＰＵ３０１は、スタートレバー２４が操作されたか否かを判定する。具体的には、メインＣＰＵ３０１は、スタートスイッチ２４ＳＷのＯＮ信号が入力されているか否かを判定する。図３２から理解される通り、メインＣＰＵ３０１は、スタートレバー２４が操作されたと判断するまで、ステップＳ１３からステップＳ１５までの処理を繰り返す（Ｓ１６：ＮＯ）。以上の説明から理解される通り、
設定変更ボタン３７が操作されて表示設定値格納領域の数値が
加算される毎に、
設定表示部３６に表示される数値が加算される
【０１８９】
　一方で、
スタートレバー２４が操作されたと判断した場合（Ｓ１６：ＹＥＳ）、メインＣＰＵ３０１は、設定表示部３６に表示されている数値を設定値として決定する（Ｓ１７）。
また、メインＣＰＵ３０１は、決定した設定値をサブ制御基板４００に送信する
【０１９０】
　メインＣＰＵ３０１は、設定値を決定した場合、設定値変更処理を終了して遊技処理を実行する。メインＣＰＵ３０１は、設定変更処理の開始を示す設定変更開始コマンドをサブ制御基板４００に送信し、設定変更処理の実行期間である旨をサブ制御基板４００に報知させる。また、サブ制御基板４００のサブＣＰＵ４１２は、決定された設定値を示す設定値コマンドを受信した場合に、設定変更処理の実行期間の報知を終了する。」
キ　「【０１９７】
　
メインＣＰＵ３０１は、
内部抽選処理（Ｓ１０６）を実行する。内部抽選処理においては、
当選エリアを決定する。
・・・・・
【０２３４】
　図４１は、内部抽選処理のフローチャートである。メインＣＰＵ３０１は、内部抽選処理を開始すると、ＲＴ遊技状態に応じて当選エリア抽選テーブル（図９〜図１３）を設定する（Ｓ１０６−１）。・・・
・・・・・
【０２３９】
　演算結果が負数であると判断した場合または全ての当選エリアが指定された場合、メインＣＰＵ３０１は、データ格納処理（Ｓ１０６−９）を実行する。具体的には、メインＣＰＵ３０１は、現在の当選エリアオフセット値をメインＲＡＭ３０３の当選エリア格納領域に格納する。例えば、減算結果が負数になった当選エリアオフセット値が「１２」の場合は、数値「１２」が当選エリア格納領域に格納される。また、
メインＣＰＵ３０１は、データ格納処理において、当選エリアを示す当選エリアコマンドをメインＲＡＭ３０３のコマンド格納領域に格納する。
ク　「【０３００】
＜サブＣＰＵが実行する各処理＞ 
　図５２は、サブＣＰＵ４１２のサブ起動処理のフローチャートである。
サブＣＰＵ４１２は
サブ起動処理を実行する
サブ制御基板４００への電源電圧の供給が開始された場合に、サブ起動処理が実行される
ケ　「【０３１５】
　図５８は、演出内容決定処理のフローチャートである。サブＣＰＵ４１２は、演出内容決定処理を開始すると、メイン制御基板３００から受信したコマンドが設定変更開始コマンドまたは設定値コマンドであるか否かを判定する（Ｓ４０１−１）。メイン制御基板３００から受信したコマンドが設定変更開始コマンドまたは設定値コマンドであると判断した場合（Ｓ４０１−１：ＹＥＳ）、サブＣＰＵ４１２は、設定変更開始／終了処理（Ｓ４０１−２）に処理を移行する。
【０３１６】
　
設定変更開始コマンドを受信した場合、
サブＣＰＵ４１２は、液晶表示装置３０に「設定変更中です」というメッセージを表示させ
設定値コマンドを受信したと判断した場合（すなわち、設定変更処理が終了した場合）、サブＣＰＵ４１２は、
設定変更処理の報知を終了する
・・・・・
【０３２６】
　受信したコマンドが払出開始コマンドまたは払出終了コマンドではないと判断した場合（Ｓ４０１−１７：ＮＯ）、サブＣＰＵ４１２は、エラーコマンド（不正入賞コマンドなど）を受信したか否かを判断する（Ｓ４０１−１９）。エラーコマンドを受信していないと判断した場合（Ｓ４０１−１９：ＮＯ）、サブＣＰＵ４１２は、演出内容決定処理を終了する。一方で、
エラーコマンドを受信したと判断した場合
、サブＣＰＵ４１２は、エラー報知処理
を実行する
コ　「【０４０５】
　（９）また、本発明は、上述したパチスロ機のみならず、
パチンコ機
サ　上記記載事項ウによれば、引用文献１の【００６４】には、「メインＣＰＵ３０１は、・・・遊技の進行に合わせて所定の処理を行うことにより、・・・」と記載されている。また、上記記載事項キによれば、引用文献１の【０１９７】には、「メインＣＰＵ３０１は、・・・内部抽選処理（Ｓ１０６）を実行する。内部抽選処理においては、・・・当選エリアを決定する。」と記載され、同【０２３９】には、「内部抽選処理」の説明として、「メインＣＰＵ３０１は、データ格納処理において、当選エリアを示す当選エリアコマンドをメインＲＡＭ３０３のコマンド格納領域に格納する。」と記載されているから、引用文献１には、「当選エリアを決定する内部抽選処理を実行し、当選エリアを示す当選エリアコマンドをメインＲＡＭ３０３のコマンド格納領域に格納し、遊技の進行に合わせて所定の処理を行うメインＣＰＵ３０１」が記載されているといえる。
　そして、上記記載事項コによれば、引用文献１の【０４０５】には、「本発明は、上述したパチスロ機のみならず、パチンコ機、その他の遊技機、ゲーム機一般に適用することができる。」と記載されているところ、大当たり抽選処理を含む複数の抽選処理が実行され、大当たり抽選結果等に基づいて遊技の進行が行われることは、パチンコ遊技機における自明の構成である。
　そうすると、引用文献１には、「パチンコ機」の構成として、「
大当たり抽選処理を含む複数の抽選処理を実行し、大当たり抽選結果を示すコマンドをメインＲＡＭ３０３のコマンド格納領域に格納し、大当たり抽選結果等に基づいて遊技の進行に合わせて所定の処理を行うメインＣＰＵ３０１
シ　上記記載事項カによれば、引用文献１の【０１８９】には、「スタートレバー２４が操作されたと判断した場合（Ｓ１６：ＹＥＳ）、メインＣＰＵ３０１は、設定表示部３６に表示されている数値を設定値として決定する（Ｓ１７）。・・・また、メインＣＰＵ３０１は、決定した設定値をサブ制御基板４００に送信する。」と記載されている。
　そして、上記記載事項コによれば、引用文献１の【０４０５】には、「本発明は、上述したパチスロ機のみならず、パチンコ機、その他の遊技機、ゲーム機一般に適用することができる。」と記載されているところ、パチンコ機は「スタートレバー２４」を有しないが、パチンコ機においても「設定表示部３６に表示されている数値を設定値として決定する」ために、何らかの操作手段による操作が必要であることは明らかである。
　また、上記記載事項イによれば、引用文献１の【００５５】には、「各遊技において設定値に応じた確率で各種の抽選が実行される。」と記載されている。そして、各図柄変動遊技において設定値に応じた確率で大当たり抽選が実行されることは、設定値を有するパチンコ遊技機における自明の構成である。
　そうすると、引用文献１には、「パチンコ機」の構成として、「
所定の操作手段が操作されたと判断した場合、メインＣＰＵ３０１は、設定表示部３６に表示されている数値を設定値として決定し、決定した設定値をサブ制御基板４００に送信し、各図柄変動遊技において設定値に応じた確率で大当たり抽選が実行される
　上記ア〜コの記載事項及び認定事項サ〜シを総合すると、引用文献１には、次の発明（以下、「引用発明」という。）が記載されていると認められる（記号ａ〜ｊは、本願補正発明の構成Ａ〜Ｊに対応させて付した。また、丸括弧内に引用文献１における引用箇所を示した。）。
　なお、引用文献１の【０４０５】には、「本発明は、上述したパチスロ機のみならず、パチンコ機、その他の遊技機、ゲーム機一般に適用することができる。」と記載されているところ、パチスロ機とパチンコ機とが、メイン制御手段、サブ制御手段及び演出手段（液晶表示装置等）の基本的な関係に関する構成と、設定変更に関する構成として、共通の構成を有し得ることは当業者にとって明らかであるから、メイン制御手段、サブ制御手段及び演出手段の基本的な関係に関する構成と、設定変更に関する構成において、第１実施形態に記載されたパチスロ機と同様の構成を有するパチンコ機として、引用発明を認定した。
「ａ　大当たり抽選処理を含む複数の抽選処理を実行し、大当たり抽選結果を示すコマンドをメインＲＡＭ３０３のコマンド格納領域に格納し、大当たり抽選結果等に基づいて遊技の進行に合わせて所定の処理を行うメインＣＰＵ３０１と（認定事項サ）、サブ制御基板４００に各種のコマンドを出力するＩ／Ｆ（インターフェース）回路３０５とを含んで構成されるメイン制御基板３００と（【００６２】、【００６８】）、
ｂｃ　メイン制御基板３００のＩ／Ｆ回路３０５からのコマンドを受信するＩ／Ｆ回路４１１とサブＣＰＵ４１２とを含んで構成される演出制御基板４１０と、画像制御基板４２０とサウンド基板４３０とを含む複数の基板で構成され、液晶表示装置３０、スピーカ（３１、３２）および各ランプを制御するサブ制御基板４００と（【００８６】、【００８７】、【００８９】、）、
ｄ　設定変更キーを挿入して回転させる設定変更用の鍵穴と（【００５５】）、設定表示部３６の数値を変更させる場合に操作される設定変更ボタン３７と（【００５６】）、
ｅ　を備えるパチンコ機であって（【０４０５】）、
ｆ　メイン制御基板３００への電源電圧の供給が開始された場合に、メインＣＰＵ３０１は起動処理を実行し（【０１７６】）、サブ制御基板４００への電源電圧の供給が開始された場合に、サブＣＰＵ４１２はサブ起動処理を実行し（【０３００】）、
ｇ　起動処理において、メインＣＰＵ３０１は、遊技機の内部に設けられた鍵穴に設定キーを挿入し回転した場合にＯＮ状態になる設定スイッチがＯＮ状態であると判断した場合、メインＲＡＭ３０３のコマンド格納領域に設定変更開始コマンドを設定し、設定変更処理に移行し（【０１７６】、【０１７８】）、
ｈ　設定変更処理において、設定変更ボタン３７が操作されて表示設定値格納領域の数値が加算される毎に、設定表示部３６に表示される数値が加算され（【０１８５】、【０１８８】）、所定の操作手段が操作されたと判断した場合、メインＣＰＵ３０１は、設定表示部３６に表示されている数値を設定値として決定し、決定した設定値をサブ制御基板４００に送信し、各図柄変動遊技において設定値に応じた確率で大当たり抽選が実行され（認定事項シ）、
ｉ　設定変更開始コマンドを受信した場合、サブＣＰＵ４１２は、液晶表示装置３０に「設定変更中です」というメッセージを表示させ、設定値コマンドを受信したと判断した場合（すなわち、設定変更処理が終了した場合）、サブＣＰＵ４１２は、設定変更処理の報知を終了し（【０３１６】）、
ｊ　設定変更処理を開始すると、メインＣＰＵ３０１は、前面扉３が開放されているか否かを判定し、前面扉３が開放されていないと判断した場合、メインＣＰＵ３０１は、設定スイッチエラー処理に移行し、設定スイッチエラー処理において、メインＣＰＵ３０１は、設定スイッチの異常を報知させるエラーコマンドをサブ制御基板４００に送信し、液晶表示装置３０が警告画面を表示する構成とし（【０１８５】）、エラーコマンドを受信したと判断した場合、サブＣＰＵ４１２は、エラー報知処理を実行する（【０３２６】）、パチンコ機（【０４０５】）。」
（２）対比
　本願補正発明と引用発明とを対比する（対比にあたっては、本願補正発明の構成Ａ〜Ｊについて、それぞれ（ａ）〜（ｊ）の見出しを付けて行った。）。
（ａ）引用発明の「大当たり抽選処理を含む複数の抽選処理を実行」することは、本願補正発明の「大当たり抽選を含む各抽選を実行」することに相当する。
　そして、引用発明の「大当たり抽選結果等に基づいて遊技の進行に合わせて所定の処理を行う」ことは、本願補正発明の「抽選結果に基づいて遊技の進行を制御する」ことに相当する。
　また、引用発明の「大当たり抽選結果を示すコマンド」は、遊技の進行に関わるものであることが当業者には明らかであるから、本願補正発明の「遊技の進行に関わる遊技コマンド」に相当する。
　さらに、引用発明の「メインＣＰＵ３０１」は、「設定スイッチの異常を報知させるエラーコマンドをサブ制御基板４００に送信」するものであるところ（構成ｊ）、当該「エラーコマンド」は、本願補正発明の「遊技の進行と無関係な特殊コマンド」に相当する。
　そして、引用発明の「メインＣＰＵ３０１と」「Ｉ／Ｆ（インターフェース）回路３０５とを含んで構成され」る「メイン制御基板３００」は、「大当たり抽選結果を示すコマンド」及び「エラーコマンド」を送信するものといえるから、これらのコマンドを生成し得るものであることは明らかである。
　してみると、引用発明の「メイン制御基板３００」は、本願補正発明の「主制御手段」に相当するから、引用発明の構成ａ及び構成ｊは、本願補正発明の構成Ａに相当する。
（ｂ）引用発明の「液晶表示装置３０、スピーカ（３１、３２）および各ランプ」は、本願補正発明の「画像を表示すると共に音を出力する演出手段」に相当する。
　してみると、引用発明の構成ｂｃは、本願補正発明の構成Ｂに相当する構成を有する。
（ｃ）上記（ａ）で検討したとおり、引用発明の「メイン制御基板３００」は、本願補正発明の「主制御手段」に相当するから、引用発明の「メイン制御基板３００のＩ／Ｆ回路３０５からのコマンドを受信する」ことは、本願補正発明の「前記主制御手段」「におけるコマンドを受信」することに相当する。
　また、引用発明の「液晶表示装置３０、スピーカ（３１、３２）および各ランプを制御する」ことは、本願補正発明の「前記演出手段を制御する」ことに相当する。
　そして、遊技機の技術分野において、サブ制御基板がメイン制御基板から受信したコマンドに基づいて各演出手段の具体的な制御内容を決定することは技術常識である。
　してみると、引用発明の「サブ制御基板４００」は、本願補正発明の「演出制御手段」に相当するから、引用発明の構成ｂｃは、本願補正発明の構成Ｃに相当する構成を有する。
（ｄ）引用発明は、「各図柄変動遊技において設定値に応じた確率で大当たり抽選が実行され」るものであり（構成ｈ）、「大当たり抽選処理を含む複数の抽選処理を実行」するのは、「メイン制御基板３００」（本願補正発明の「主制御手段」に相当する。）であるから（構成ａ）、引用発明の「設定変更キーを挿入して回転させる設定変更用の鍵穴」は、本願補正発明の「前記主制御手段の設定に関わる操作を行う操作手段」に相当する。
　してみると、引用発明の構成ｄは、本願補正発明の構成Ｄに相当する。
（ｅ）引用発明の「パチンコ機」は、本願補正発明の「遊技機」に相当するから、引用発明の構成ｅは、本願補正発明の構成Ｅに相当する。
（ｆ）引用発明の「メイン制御基板３００への電源電圧の供給が開始され」ること、及び、「サブ制御基板４００への電源電圧の供給が開始され」ることは、本願補正発明の「電源投入」に相当する。
　また、引用発明は、「メイン制御基板３００への電源電圧の供給が開始された場合に、メインＣＰＵ３０１は起動処理を実行し」、「サブ制御基板４００への電源電圧の供給が開始された場合に、サブＣＰＵ４１２はサブ起動処理を実行」するものであるから、「メインＣＰＵ３０１」と「サブＣＰＵ４１２」は、電源電圧の供給が開始された場合に、それぞれ「起動処理」と「サブ起動処理」という「独立した動作」を行うものといえる。
　そして、引用発明の「メインＣＰＵ３０１」は、「メイン制御基板３００」に含まれるものであり（構成ａ）、同「サブＣＰＵ４１２」は、「サブ制御基板４００」に含まれるものであるところ（構成ｂｃ）、上記（ａ）及び（ｃ）で検討したとおり、引用発明の「メイン制御基板３００」、「サブ制御基板４００」は、それぞれ本願補正発明の「主制御手段」、「演出制御手段」に相当するものである。
　してみると、引用発明の構成ｆは、本願補正発明の構成Ｆに相当する。
（ｇ）上記（ｆ）で検討したとおり、引用発明の「メイン制御基板３００への電源電圧の供給が開始され」ることは、本願補正発明の「電源投入」に相当するところ、引用発明は、「メイン制御基板３００への電源電圧の供給が開始された場合に、メインＣＰＵ３０１は起動処理を実行」するものである（構成ｆ）。
　また、上記（ｄ）で検討したとおり、引用発明の「設定変更キーを挿入して回転させる設定変更用の鍵穴」は、本願補正発明の「操作手段」に相当するから、引用発明の「鍵穴に設定キーを挿入し回転した」状態は、本願補正発明の「前記操作手段」の「所定の状態」に相当する。
　そうすると、引用発明の「起動処理において」「遊技機の内部に設けられた鍵穴に設定キーを挿入し回転した場合にＯＮ状態になる設定スイッチがＯＮ状態であると判断した場合」は、本願補正発明の「前記操作手段を所定の状態にして電源投入された場合」に相当する。
　また、引用発明の「設定変更処理」は、「設定値」を「決定」するものであり、「各図柄変動遊技において設定値に応じた確率で大当たり抽選が実行され」るから（構成ｈ）、引用発明の「設定変更処理」を実行中のモードは、本願補正発明の「前記抽選に関わる設定に関する設定モード」に相当する。
　そして、引用発明の「メインＣＰＵ３０１」は、「メイン制御基板３００」に含まれるものであり（構成ａ）、上記（ａ）で検討したとおり、引用発明の「メイン制御基板３００」は、本願発明の「主制御手段」に相当するから、引用発明の「メインＣＰＵ３０１は」「設定変更処理に移行」することは、本願発明の「前記主制御手段は」「設定モードに移行」することに相当する。
　さらに、引用発明の「メインＣＰＵ３０１は」「メインＲＡＭ３０３のコマンド格納領域に設定変更開始コマンドを設定」することは、メインＲＡＭ３０３のコマンド格納領域にコマンドを設定すれば、その直後に当該コマンドが「サブ制御基板４００」に送信されることは技術常識であるから、本願補正発明の「前記主制御手段は」「設定変更コマンドを送信」することに相当する。
　してみると、引用発明の構成ｇは、本願補正発明の構成Ｇに相当する。
（ｈ）上記（ｇ）で検討したとおり、引用発明の「設定変更処理」を実行中のモードは、本願補正発明の「設定モード」に相当するから、引用発明の「設定変更処理において」という前提は、本願補正発明の「前記設定モードにおいて」という前提に相当する。
　また、引用発明は、「設定変更処理において、設定変更ボタン３７が操作されて表示設定値格納領域の数値が加算される毎に、設定表示部３６に表示される数値が加算され」、「所定の操作手段が操作されたと判断した場合、メインＣＰＵ３０１は、設定表示部３６に表示されている数値を設定値として決定」するから、設定変更処理において「設定値」を変更できるものである。
　そして、引用発明は、「各図柄変動遊技において設定値に応じた確率で大当たり抽選が実行され」るものであるから、引用発明の「設定値」は、本願補正発明の「前記大当たり抽選の当選確率の設定」に相当する。
　してみると、引用発明の構成ｈは、本願補正発明の構成Ｈと、「前記設定モードにおいて、前記大当たり抽選の当選確率の設定を変更できるようになっている」点で共通する。
（ｉ）引用発明の「設定変更開始コマンド」の「受信」、「「設定変更中です」というメッセージ」の「表示」は、それぞれ本願補正発明の「前記設定変更コマンドの受信」、「所定の画像の表示」に相当するから、引用発明の「設定変更開始コマンドを受信した場合」「液晶表示装置３０に「設定変更中です」というメッセージを表示させ」ることは、本願補正発明の「前記設定変更コマンドの受信に応じて、所定の画像の表示を開始させ」ることに相当する。
　また、引用発明は、「設定変更開始コマンドを受信した場合、サブＣＰＵ４１２は、液晶表示装置３０に「設定変更中です」というメッセージを表示させ、設定値コマンドを受信したと判断した場合（すなわち、設定変更処理が終了した場合）、サブＣＰＵ４１２は、設定変更処理の報知を終了」するものであるから、引用発明の「サブＣＰＵ４１２」は、メインＣＰＵ３０１による設定変更処理の実行中は、液晶表示装置３０に「設定変更中です」というメッセージを表示させる設定変更処理の報知を実行するものといえる。
　そうすると、引用発明の「サブＣＰＵ４１２」は、本願補正発明の「前記主制御手段が前記設定モードになっている間、所定の画像を前記演出手段に表示させる手段」としての機能を有している。
　また、引用発明の「サブＣＰＵ４１２」は、「サブ制御基板４００」に含まれるものであり（構成ｂｃ）、上記（ｃ）で検討したとおり、引用発明の「サブ制御基板４００」は、本願補正発明の「演出制御手段」に相当するものである。
　してみると、引用発明の構成ｉは、本願補正発明の構成Ｉに相当する。
（ｊ）上記（ａ）で検討したとおり、引用発明の「設定スイッチの異常を報知させるエラーコマンド」は、本願補正発明の「前記特殊コマンド」に相当する。
　また、引用発明は、「起動処理において、メインＣＰＵ３０１は、」「設定スイッチがＯＮ状態であると判断した場合、メインＲＡＭ３０３のコマンド格納領域に設定変更開始コマンドを設定し、設定変更処理に移行」するものであり（構成ｇ）、「設定変更処理を開始すると、メインＣＰＵ３０１は、前面扉３が開放されているか否かを判定し、前面扉３が開放されていないと判断した場合、メインＣＰＵ３０１は、設定スイッチエラー処理に移行し、設定スイッチエラー処理において、メインＣＰＵ３０１は、設定スイッチの異常を報知させるエラーコマンドをサブ制御基板４００に送信」するものであるから、設定スイッチの異常を報知させるエラーコマンドが送信されるのは、メインＲＡＭ３０３のコマンド格納領域に設定変更開始コマンドが設定された後、すなわち、設定変更開始コマンドが送信された後であるといえる。
　そして、引用発明は、「設定変更開始コマンドを受信した場合、サブＣＰＵ４１２は、液晶表示装置３０に「設定変更中です」というメッセージを表示させ」るものであるから（構成ｉ）、サブＣＰＵ４１２が設定スイッチの異常を報知させるエラーコマンドを受信する場合に、すでに、液晶表示装置３０に「設定変更中です」というメッセージが表示されていることは明らかである。
　そうすると、引用発明は、本願補正発明の「前記所定の画像の表示中に受信したコマンドが前記特殊コマンドである場合」があることに相当する構成を有している。
　また、引用発明は、「設定スイッチエラー処理において、メインＣＰＵ３０１は、設定スイッチの異常を報知させるエラーコマンドをサブ制御基板４００に送信し、液晶表示装置３０が警告画面を表示する構成と」するものであるところ、引用発明の「警告画面」は、「設定スイッチの異常を報知させるエラーコマンド」に対応するものといえるから、本願補正発明の「前記特殊コマンドに対応する画像」に相当する。
　そして、引用発明の「サブＣＰＵ４１２」は、「エラーコマンドを受信したと判断した場合」「エラー報知処理を実行する」ものであるから、「警告画面を表示する」処理を実行するのがサブＣＰＵ４１２（を含むサブ制御基板４００）であることは明らかである。
　さらに、引用発明の「パチンコ機」は、本願補正発明の「遊技機」に相当する。
　してみると、引用発明の構成ｊは、本願補正発明の構成Ｊと、「前記演出制御手段は、前記所定の画像の表示中に受信したコマンドが前記特殊コマンドである場合、前記特殊コマンドに対応する画像を表示させる遊技機」である点で共通する。
　上記（ａ）〜（ｊ）により、本願補正発明と引用発明とは、
（一致点）
「Ａ　大当たり抽選を含む各抽選を実行し、抽選結果に基づいて遊技の進行を制御すると共に、遊技の進行に関わる遊技コマンド、及び遊技の進行と無関係な特殊コマンドを含む複数種類のコマンドを生成し得る主制御手段と、
Ｂ　画像を表示すると共に音を出力する演出手段と、
Ｃ　前記主制御手段、または、前記複数種類のコマンドを生成し得る外部制御手段におけるコマンドを受信し、受信したコマンドに基づいて前記演出手段の制御内容を決定し、この決定に従って前記演出手段を制御する演出制御手段と、
Ｄ　前記主制御手段の設定に関わる操作を行う操作手段と
Ｅ　を備える遊技機であって、
Ｆ　前記主制御手段及び前記演出制御手段の各々は、電源投入を契機とした独立した動作が可能であり、
Ｇ　前記主制御手段は、前記操作手段を所定の状態にして電源投入された場合、前記抽選に関わる設定に関する設定モードに移行し、設定変更コマンドを送信し、
Ｈ’　前記設定モードにおいて、前記大当たり抽選の当選確率の設定を変更できるようになっており、
Ｉ　前記演出制御手段は、前記設定変更コマンドの受信に応じて、所定の画像の表示を開始させ前記主制御手段が前記設定モードになっている間、所定の画像を前記演出手段に表示させる手段を備え、
Ｊ’　前記演出制御手段は、前記所定の画像の表示中に受信したコマンドが前記特殊コマンドである場合、前記特殊コマンドに対応する画像を表示させる遊技機。」
である点で一致し、構成Ｈ、Ｊに関する以下の点で相違している。
（相違点１）
　本願補正発明では、「特別図柄の変動時に参照する変動パターン決定テーブルは共通とし」ている（構成Ｈ）のに対して、引用発明では、そもそも、変動パターン決定テーブルを有するのか明らかでない点。
（相違点２）
　「前記所定の画像の表示中に受信したコマンドが前記特殊コマンドである場合、」「前記特殊コマンドに対応する画像を」「表示させる」構成について、本願補正発明では、「前記所定の画像の少なくとも一部に前記特殊コマンドに対応する画像を重ねて表示させる」（構成Ｊ）のに対して、引用発明では、設定スイッチの異常を報知させるエラーコマンドがサブ制御基板４００に送信された場合に、液晶表示装置３０に警告画面が表示される際、「設定変更中です」というメッセージがどのように表示されるか明らかでない点。
（３）判断
ア　相違点１の判断について
　相違点１について検討すると、パチンコ遊技機の技術分野において、特別図柄の変動時に参照する変動パターン決定テーブルを設け、これを設定値に応じて異なるものとしても、設定値によらずに共通なものとしてもよいことは、本願出願前に周知の技術（以下、「周知技術１」という。）である（例えば、特開２０１１−２０６５８８号公報の【０１７０】には、「設定値毎に変動パターンテーブルを異ならせることなく、設定値に関わらず同一の変動パターンテーブルを用いるようにしてもよいし、複数の設定値のうち複数の設定値にて同一の変動パターンテーブルを用いるようにしてもよい。」と記載され、特開２００３−２０５１６０号公報の【０１２２】には、「大当たり抽選確率の設定に応じて、リーチ発生の判定確率、変動パターンの選択率、演出パターンの選択率のうちの１つ又は２つのみを異ならせるようにしてもよい。」と記載され、同【図７】には、変動パターンの選択率が規定されたテーブルが記載されている。）。
　引用発明と周知技術１とは、設定値を変更可能なパチンコ遊技機に関するという点で共通するものであるから、特別図柄の変動パターンを多様化して興趣を向上させるなどの観点から、引用発明に対して周知技術１を適用して、特別図柄の変動時に参照する変動パターン決定テーブルを設けるとともに、これを設定値によらずに共通なものとして、相違点１に係る本願補正発明の構成とすることは、当業者が容易に想到できたことである。
イ　相違点２の判断について
　相違点２について検討すると、遊技機の技術分野において、画像表示装置にて異常報知をする際に、既存の画像を消去せずに、既存の画像の少なくとも一部に異常報知の画像を重ねて表示することは、本願出願前に周知の技術（以下、「周知技術２」という。）である（例えば、特開２００９−２７３７０８号公報の【０４９８】には、「磁気異常報知指定コマンド受信フラグがセットされている場合には、・・・演出表示装置９において、そのときに表示されている画面に対して、磁気異常報知画面を重畳表示する指令をＶＤＰ１０９に出力する」と記載され、特開２０１７−５１３０５号公報の【０３９０】には、「画像制御基板１５０は、画像表示装置３１の表示画像としてメニュー画像を表示させているとき・・・に演出制御基板１２０が受信したコマンドが計数スイッチ断線エラーコマンドである場合、画像表示装置３１におけるメニュー画像の表示を維持し、画面中央のメニュー画像に計数スイッチ断線エラーコマンドと対応するメッセージ画像を重ねて表示させる。」と記載されている。）。
　そして、引用発明と周知技術２とは、画像表示装置にて異常報知を行う遊技機に関するという点で共通するものであるから、引用発明において、「設定スイッチの異常を報知させるエラーコマンド」に対応する「警告画面」を表示させる際、当該「警告画面」を表示する前に表示されている「設定変更中です」というメッセージ（所定の画像）に対して、周知技術２を適用して、その少なくとも一部と重ねて当該「警告画面」（特殊コマンドに対応する画像）を表示するようにして、相違点２に係る本願補正発明の構成とすることは、当業者が容易に想到できたことである。
ウ　本願補正発明の作用効果について
　本願補正発明の作用効果は、引用発明、周知技術１及び周知技術２から当業者が予測できる範囲のものであり、格別顕著なものとはいえない。
エ　請求人の主張について
　請求人は、審判請求書において、「しかしながら、これらの引用文献には、補正後の請求項１に係る発明の特徴における、「前記主制御手段は、前記操作手段を所定の状態にして電源投入された場合、…設定変更コマンドを送信し、前記設定モードにおいて、前記大当たり抽選の当選確率の設定を変更できるようになっているが、特別図柄の変動時に参照する変動パターン決定テーブルは共通とし、前記演出制御手段は、前記設定変更コマンドの受信に応じて、所定の画像の表示を開始させ前記主制御手段が前記設定モードになっている間、所定の画像を前記演出手段に表示させる手段を備え」ることに相当する発明については記載されていない。よって、補正後の請求項１に係る発明は、引用文献１に記載された発明と引用文献３−６に記載された技術に基づいて想到することは困難である。」（４頁２８行〜５頁８行）と主張している。
　しかしながら、請求の主張する構成、とりわけ、「特別図柄の変動時に参照する変動パターン決定テーブルは共通とし」という構成は、上記アにて説示したとおり、引用発明に対して周知技術１を適用することにより、当業者が容易に想到することができたものであるから、請求人の上記主張は採用することができない。
（４）まとめ
　したがって、本願補正発明は、引用発明、周知技術１及び周知技術２に基いて当業者が容易に発明をすることができたものであるから、特許法第２９条第２項の規定により、特許出願の際に独立して特許を受けることができないものである。
４　むすび
　以上のとおり、本願補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
第３　本願発明について
１　本願発明
　本件補正は、上記のとおり却下されることとなったので、本願の請求項１に係る発明（以下、「本願発明」という。）は、令和１年１０月４日になされた手続補正により補正された特許請求の範囲の請求項１に記載された事項により特定されるとおりの、上記「第２［理由］１　補正の内容」に本件補正前の請求項１として記載したとおりのものである。
２　原査定の拒絶の理由
　原査定の拒絶の理由は、この出願の請求項１に係る発明は、その出願前に日本国内又は外国において、頒布された下記１、３〜６の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものである。
　　　　　　　　　　　　　　　　　記
　１．特開２０１５−１９５８６３号公報
　３．特開２００９−２７３７０８号公報（周知技術を示す文献）
　４．特開２０１７−５１３０５号公報（周知技術を示す文献）
　５．特開２００７−１５１８７４号公報（周知技術を示す文献）
　６．特開２００９−１７２０９０号公報（周知技術を示す文献）
３　引用文献１に記載された事項
　原査定の拒絶の理由に引用された引用文献１の記載事項及び引用発明の認定については、上記「第２［理由］３（１）引用文献１に記載された事項」に記載したとおりである。
４　対比・判断
　本願発明は、上記「第２［理由］」で検討した本願補正発明から、構成要件である「前記操作手段を所定の状態にして電源投入された場合」の「前記主制御手段」の処理に関して、「設定変更コマンドを送信し」との限定を省くとともに、構成要件である「設定モード」に関して、「前記設定モードにおいて、前記大当たり抽選の当選確率の設定を変更できるようになっているが、特別図柄の変動時に参照する変動パターン決定テーブルは共通とし」との限定を省き、加えて構成要件である「所定の画像を前記演出手段に表示させる手段」に関して、「前記設定変更コマンドの受信に応じて、所定の画像の表示を開始させ」との限定を省くものである。
　そうすると、本願発明と引用発明とは、上記「第２［理由］３（２）」に記載した相違点２において相違し、その余の点で一致している。そして、相違点２は、上記「第２［理由］３（３）イ」にて説示したとおり、引用発明に対して周知技術２を適用することにより、当業者が容易に想到することができたものであるから、本願発明は、引用発明及び周知技術２に基いて、当業者が容易に発明をすることができたものである。
第４　むすび
　以上のとおり、本願発明は、特許法第２９条第２項の規定により特許を受けることができないものであるから、本願は拒絶されるべきものである。
　よって、結論のとおり審決する。